(57)【要約】【課題】  装着していることが露見されにくいかつらを提供する。  【解決手段】  基布４と、基布４の表面４ｂに植設された表の擬毛８と、基布４の裏面４ｃに取り付けられた所定の厚みを有する裏毛用部材６と、裏毛用部材６に植設された裏の擬毛１０と、を備え、表の擬毛８が、基布４の外周の少なくとも一部である外端縁４ａの近傍領域に少なくとも植設され、裏毛用部材６の外側の端面６ａが、基布４の外端縁４ａから離間した位置に配置され、裏の擬毛１０が基布４の外端縁４ａから外側へ伸びているかつら２を提供する。【選択図】  図１
2017166083.tif 000002
【特許請求の範囲】
【請求項１】
基布と、
前記基布の表面に植設された表の擬毛と、
前記基布の裏面に取り付けられた所定の厚みを有する裏毛用部材と、
前記裏毛用部材に植設された裏の擬毛と、
を備え、
前記表の擬毛が、前記基布の外周の少なくとも一部である外端縁の近傍領域に少なくとも植設され、
前記裏毛用部材の外側の端面が、前記基布の外端縁から離間した位置に配置され、
前記裏の擬毛が前記基布の外端縁から外側へ伸びていることを特徴とするかつら。
【請求項２】
前記基布の外端縁が前端縁であり、
前記裏毛用部材の外側の端面が前端面であることを特徴とする請求項１に記載のかつら。
【請求項３】
前記基布の裏面において、前記基布の外端縁及び前記裏毛用部材の外側の端面の間の領域に擬毛が植設されていないことを特徴とする請求項１または２に記載のかつら。
【請求項４】
裏面側からの平面視において、前記裏毛用部材の外側の端面が波状の形状を有することを特徴とする請求項１から３の何れか１項に記載のかつら。
【請求項５】
前記基布の外端縁が、一様な凸の曲線形状を有することを特徴とする請求項１から４の何れか１項に記載のかつら。
【請求項６】
前記裏毛用部材が所定の幅の帯状部材から形成されていることを特徴とする請求項１から５の何れか１項に記載のかつら。
【発明の詳細な説明】
【技術分野】
【０００１】
本発明は、かつらベースに擬毛を植設したかつらに関する。
【背景技術】
【０００２】
人の頭部に装着するかつらは、かつらベースを構成する基布の表面に擬毛を植設することにより形成される。このようなかつらの中には、基布の前端縁が露見するのを防ぐため、基布の前端縁を波形の形状にしたものがある。しかし、この場合、基布の前端縁の耐久性に乏しく、ブラッシング時にかつらがめくり上がる問題が生じる。
これに対処するため、基布の前端縁を波形の形状にする代わりに、基布の裏面側に擬毛を植設して、その擬毛の先端部分がかつらの前端縁から外方へ突出するようにしたかつらが提案されている（例えば、特許文献１参照）。
【先行技術文献】
【特許文献】
【０００３】
【特許文献１】特開平８−１９９４１２
【発明の概要】
【発明が解決しようとする課題】
【０００４】
特許文献１に記載のかつらでは、基布の前端縁の露見防止のため、基布の裏面であって、基布の前端縁から後端側に向かって約２ｃｍ程度の幅の領域に擬毛を植設し、それらの擬毛の先端部分がかつらの前端縁から外方へ突出するようにしている。
しかし、このようなかつらを装着したとき、基布の裏面及び使用者の頭皮が密着するので、基布の裏面側に植設された擬毛は、基布の裏面及び頭皮の間に挟み込まれて固定される。よって、擬毛の動きが制限されるために自然な外観を得るのが困難であり、擬毛どうしも重なり合いにくいので、基布の前端縁が露見し易くなる。更に、擬毛が直接基布に植設されるので、玉状の結び目が基布の表面から露見する問題も生じる。以上のように、特許文献１に記載の発明では、かつらを装着していることが露見されるのを充分に防ぐことができない。
【０００５】
本発明は、上記の課題を解決するものであり、装着していることが露見されにくいかつらを提供することを目的とする。
【課題を解決するための手段】
【０００６】
上記の課題を解決するため、本発明の１つの実施態様に係るかつらは、
基布と、
前記基布の表面に植設された表の擬毛と、
前記基布の裏面に取り付けられた所定の厚みを有する裏毛用部材と、
前記裏毛用部材に植設された裏の擬毛と、
を備え、
前記表の擬毛が、前記基布の外周の少なくとも一部である外端縁の近傍領域に少なくとも植設され、
前記裏毛用部材の外側の端面が、前記基布の外端縁から離間した位置に配置され、
前記裏の擬毛が前記基布の外端縁から外側へ伸びている。
【発明の効果】
【０００７】
本発明では、装着していることが露見されにくいかつらを提供することができる。
【図面の簡単な説明】
【０００８】
【図１】本発明の１つの実施形態に係るかつらを模式的に示す側面断面図である。
【図２】本発明に係るかつらの１つの平面形状を示すため、かつらを裏面側から見た模式的な平面図である。
【図３】本発明に係るかつらのその他の平面形状を示すため、かつらを裏面側から見た模式的な平面図である。
【図４】本発明に係るかつらの裏毛用部材に擬毛を植設する例を模式的に示す側面断面図である。
【図５】本発明に係るかつらの一実施例の外形を裏面側から示す図（写真）である。
【図６】図５に示す実施例において、基布の前端縁近傍を拡大して示す図（写真）である。
【図７】図６に示す基布の前端縁近傍について、裏面側の斜め上方から示す図（写真）である。
【発明の詳細な説明】
【０００９】
本発明の実施態様１に係るかつらでは、
基布と、
前記基布の表面に植設された表の擬毛と、
前記基布の裏面に取り付けられた所定の厚みを有する裏毛用部材と、
前記裏毛用部材に植設された裏の擬毛と、
を備え、
前記表の擬毛が、前記基布の外周の少なくとも一部である外端縁の近傍領域に少なくとも植設され、
前記裏毛用部材の外側の端面が、前記基布の外端縁から離間した位置に配置され、
前記裏の擬毛が前記基布の外端縁から外側へ伸びている。
【００１０】
ここで、裏面とは、かつら装着時に使用者の頭皮に面する側の面を意味し、表面とは、少なくとも一部の領域に擬毛が植設された外から見える側の面を意味する。
基布の外周の少なくとも一部である外端縁は、基布の全外周の場合もあり得るし、外周の一部、例えば、前頭部に対応する前端縁、後頭部に対応する後端縁、側頭部に対応する横端縁の場合もあり得る。基布の外端縁の位置に対応して、裏毛用部材の外側の端面も、全周における外端面、前端面、後端面、横端面の場合があり得る。
【００１１】
かつらを裏面側から見た平面形状において、裏毛用部材の外側の端面は、一様な曲線形状、波状の形状、ジグザグ形状をはじめとする任意の形状を有することができる。裏毛用部材は、その外側の端面及び基布の外端縁の間の領域を除いて、基布と全て重なり合ったシート状の部材の場合もあり得るし、後述するような帯状の部材の場合もあり得るし、それらの中間の基布及び裏毛用部材が重なっている領域と基布だけの領域とが混在する場合もあり得る。
裏毛用部材の外側の端面が基布の外端縁から離間している距離は、常に一定の離間距離の場合もあり得るし、領域によって離間距離が変化する場合もあり得る。また、裏の擬毛は、裏毛用部材の外側の端面に植設されるだけでなく、装着時に頭皮と対面する裏毛用部材の裏面にも植設される場合がある。
【００１２】
本実施態様では、裏毛用部材が所定の厚みを有するので、使用者がかつらを装着したとき、基布の外端縁及び裏毛用部材の外側の端面の間の領域において、基布の裏面と使用者の頭皮との間に空間が形成される。これにより、裏毛用部材に植設された裏の擬毛は、基布と頭皮に挟まれて位置を固定されることがないので、裏の擬毛の動きの自由度が増し、自然な外観を得ることができる。また、裏の擬毛どうしが重なり易くなり、裏の擬毛及び表の擬毛が重なり易くなるので、基布の外縁部が露見しにくくなる。
更に、所定の厚みを有する裏毛用部材に裏の擬毛を植設するので、基布に直接擬毛を植設する場合のように、玉状の結び目が基布の表面から露見する問題も回避できる。
以上のような様々な効果により、本実施態様に係るかつらを用いれば、かつらを装着していることが露見しにくくなる。
【００１３】
本発明の実施態様２に係るかつらは、上記の実施態様１において、
前記基布の外端縁が前端縁であり、
前記裏毛用部材の外側の端面が前端面である。
【００１４】
本実施態様では、基布の外端縁が前端縁であり、裏毛用部材の外側の端面が前端面なので、最も脱毛や毛髪の生え際が気になる前頭部において、基布の前縁部の露見を防いで、かつら装着の露見を防ぐことができる。
【００１５】
本発明の実施態様３に係るかつらは、上記の実施態様１または２において、
前記基布の裏面において、前記基布の外端縁及び前記裏毛用部材の外側の端面の間の領域に擬毛が植設されていない。
【００１６】
本実施態様では、基布の外端縁及び裏毛用部材の外側の端面の間の領域に擬毛が植設されていないので、裏毛用部材に植設された裏の擬毛の移動を妨げることなく、より自然な外観を得ることができる。また、基布に直接擬毛を植設していないので、玉状の結び目がかつらの表面から露見する問題も回避できる。
【００１７】
本発明の実施態様４に係るかつらは、上記の実施態様１から３の何れかにおいて、
裏面側からの平面視において、前記裏毛用部材の外側の端面が波状の形状を有する。
【００１８】
本実施態様では、裏毛用部材の外側の端面が波状の形状を有するので、裏毛用部材に植設された裏の擬毛が、波状の形状に沿って様々な角度で基布の外側へ伸びる。よって、裏の擬毛どうしがより重なり易くなり、表の擬毛ともより重なり易くなる。これにより、より自然な外観を得ることができ、基布の外縁部がより露見しにくくなる。
【００１９】
本発明の実施態様５に係るかつらは、上記の実施態様１から４の何れかにおいて、
前記基布の外端縁が、一様な凸の曲線形状を有する。
【００２０】
ここで、一様な凸の曲線形状とは、凹凸形状が切り替わる変曲点を有さない曲線形状を意味する。
上記のように裏の擬毛によって基布の外縁部が露見しにくくするとともに、本実施態様では、基布の外端縁が一様な凸の曲線形状を有するので、充分な耐久性を有し、ブラッシング時にかつらがめくり上がる問題も抑制できる。
【００２１】
本発明の実施態様６に係るかつらは、上記の実施態様１から５の何れかにおいて、
前記裏毛用部材が所定の幅の帯状部材から形成されている。
【００２２】
本実施態様では、裏毛用部材が所定の幅の帯状部材から形成されているので、必要な領域にだけ、裏毛用部材を容易に低い製造コストで設けることができる。
【００２３】
次に、本発明の具体的な実施形態に係るかつらについて、以下に図面を用いながら詳細に説明する。ここでは、前頭部に対応するかつらの前側に裏毛用部材が取り付けられた場合を例にとって、具体的な実施形態の説明を行う。
(１つの実施形態に係るかつらの説明）
（断面形状）
はじめに、図１を参照しながら、本発明の１つの実施形態に係るかつら２の主に断面形状及び構造を説明する。図１は、本発明の１つの実施形態に係るかつら２を模式的に示す側面断面図である。（ａ）は、かつら２を使用者が装着したところを示し、（ｂ）は、かつら２の基布４の前端縁４ａ近傍及び裏毛用部材６の設置領域を拡大して示す。なお、図１（ｂ）では、植設された擬毛の記載を省略して示してある。  
【００２４】
本実施形態に係るかつら２は、基布４と、基布４の裏面４ｃに取り付けられた裏毛用部材６を有するかつらベース２０を備える。かつらベース２０の基布４の表面４ｂに表の擬毛８が植設される。表の擬毛８は、少なくとも基布４の前端縁４ａの近傍領域に植設されており、前頭側にだけ擬毛が植設された部分かつらの場合も、全領域に擬毛が植設された全頭かつらの場合もあり得る。
【００２５】
かつらベース２０の基布４の裏面４ｃに取り付けられた裏毛用部材６には、裏の擬毛１０が植設される。表の擬毛８及び裏の擬毛１０は、人毛や、合成繊維で作った人工毛から形成することができる。用途に応じて、表の擬毛８及び裏の擬毛１０を同一の毛髪で形成することもできるし、異なる毛髪で形成することもできる。擬毛８、１０を植設するのは、既知の任意の手段を用いることができる。
【００２６】
かつらベース２０の基布４は、例えば、合成樹脂材料や天然材料からなるネット素材から形成することができ、ネットのメッシュの開口に表の擬毛８を通して、メッシュの枠部材（フィラメント）に結びつけて植設することができる。図１（ａ）には、結びつけたことによる結び目８ａが示されている。この結び目は玉状の形状を有するので、結び玉と称することもできる。もし、擬毛を基布４の裏面４ｃから植設した場合には、反対側の表面４ｂから視認可能となる。
なお、基布４は、ネット素材に加えて、合成樹脂材料や天然材料からなる織物やシート部材、人工皮革等を重ねることもでききる。
【００２７】
図１（ｂ）に示すように、裏毛用部材６は厚みｔを有する（つまり、厚み寸法がｔであり）部材であり、例えば、裏面４ｃから見た平面図である図２または図３に示すように、裏毛用部材６として、所定の幅の帯状の部材を採用することができる。厚みとしては、０．２〜１ｍｍを例示することができるが、これに限られるものではない。
【００２８】
裏毛用部材６は、例えば、合成樹脂材料や天然材料からなるネット素材から形成することができる。この場合、基布４に用いるネット素材よりも目の細かいネット素材を用いることが考えられる。更に、ネット素材に加えて、成樹脂材料や天然材料からなる織物やシート部材等を重ねることもできる。これにより、裏毛用部材６の厚みを増やすこともできる。
【００２９】
裏毛用部材６の基布４への取り付け方法は、縫製による場合が考えられる。特に、基布４及び裏毛用部材６がネット素材で形成されている場合には、容易に確実に両者を結合することができる。なお、用途によっては、接着剤を用いたり、熱溶着等で裏毛用部材６を基布４へ取り付けることもできる。
【００３０】
本実施形態では、裏毛用部材６の前端面６ａが、基布４の前端縁４ａから距離Ｌだけ離間した位置に配置されている。距離Ｌは、常に一定の場合もあり得るし、領域によって異なる値となる場合もあり得る。
基布４及び裏毛用部材６を裏面側から見た平面形状は、例えば、図２に示すように、波形の形状を有する場合も、図３に示すように、基布４の前端縁４ａに対して一様に凸な曲線形状を有する場合もあり得る。詳細は後述するが、図２に示すように波形の形状を有している場合には、Ｌの値は周期的に変化し、図３に示すように一様に凸な曲線の場合には、Ｌの値はほぼ一定になる。
【００３１】
裏毛用部材６がネット素材から形成されている場合には、表の擬毛８を基布４に植設する場合と同様に、ネットのメッシュの開口に裏の擬毛１０を通して、メッシュの枠部材（フィラメント）に結びつけて植設することができる。図１（ａ）には、結びつけたことによる結び目（結び玉）１０ａが示されている。
【００３２】
次に、図４を参照しながら、裏毛用部材６に裏の擬毛１０を植設する態様を説明する。図４は、本発明に係るかつら２の裏毛用部材６に裏の擬毛１０を植設する例を模式的に示す側面断面図である。なお、図４では、植設された表の擬毛８の記載を省略して示してある。
図４（ａ）に示すように、裏の擬毛１０が裏毛用部材６の前端面６ａにだけ植設される場合もあり得るし、図４（ｂ）に示すように、裏の擬毛１０が裏毛用部材６の前端面６ａ及び装着時に頭皮と対面する裏面６ｂに植設される場合もあり得る。
【００３３】
何れの場合においても、図１（ａ）、図４（ａ）、（ｂ）に示すように、裏毛用部材６に植設された裏の擬毛１０は、基布４の前端縁４ａから外側へ伸びている。これにより、基布４の表面４ｂに植設された表の擬毛８と混在するようになっている。        
【００３４】
以上のように、本実施形態では、裏毛用部材６の前端面６ａが基布４の前端縁４ａから離間した位置に配置され、裏毛用部材６が厚みｔを有するので、使用者がかつら２を装着したとき、基布４の前端縁４ａ及び裏毛用部材６の前端面６ａの間の領域において、図１（ａ）、（ｂ）の矢印Ａで示すように、基布４の裏面４ｃと使用者の頭皮３０との間に空間が形成される。これにより、裏毛用部材６に植設された裏の擬毛１０は、基布４及び頭皮３０に挟まれて位置を固定されることがないので、裏の擬毛１０の動きの自由度が増し、自然な外観を得ることができる。また、裏の擬毛１０どうしが重なり易くなり、裏の擬毛１０及び表の擬毛８が重なり易くなるのでるので、基布４の前端縁４ａが露見しにくくなる。
特に、髪の毛を後ろ側に流すヘアスタイルの場合には、裏の擬毛１０どうしの重なり合いにより、基布４の前端縁４ａの露見を効果的に防止できる。一方、髪の毛を前に垂らすヘアスタイルの場合には、裏の擬毛１０及び表の擬毛８の重なり合いにより、基布４の前端縁４ａの露見を効果的に防止できる。
【００３５】
もし、裏の擬毛１０を、基布４の裏面４ｃに植設した場合には、反対側の表面４ｂから、結び目（結び玉）１０ａが視認可能となる。
しかし、本実施形態では、厚みｔを有する裏毛用部材６に裏の擬毛１０を植設するので、基布４に直接擬毛を植設する場合のように、結び目（結び玉）１０ａが基布４の表面４ｂから露見する問題を回避できる。
以上のような様々な効果により、本実施形態に係るかつら２を用いれば、かつら２を装着していることが露見しにくくなる。
【００３６】
図１（ａ）、図４（ａ）、（ｂ）から明らかように、基布４の裏面４ｃにおいて、基布４の前端縁４ａ及び裏毛用部材６の前端面６ａの間の領域には、擬毛が植設されていない。
これにより、裏毛用部材６に植設された裏の擬毛１０の移動を妨げることなく、より自然な外観を得ることができる。また、基布４に直接擬毛を植設していないので、結び目（結び玉）がかつら２の表面から露見する問題も回避できる。
【００３７】
ただし、領域によっては、実用上、裏毛用部材６に植設された裏の擬毛１０の移動を妨げることがないという範囲において、基布４の前端縁４ａ及び裏毛用部材６の前端面６ａの間の領域に、所定量の裏の擬毛１０を植設する場合もあり得る。
【００３８】
距離Ｌとしては、２〜２０ｍｍを例示することができるが、これに限られるものではない。距離Ｌが長い方が裏の擬毛１０の動きの自由度が高まる。一方、裏毛用部材６の前端面６ａから基布４の前端縁４ａ側に向かうにつれて、上方の表の擬毛８が植設された基布４は、その自重で下側（かつら装着時では頭皮側）に垂れる傾向が生じる。よって、距離Ｌが長くなりすぎると、自然な外観を得るのに最も重要な基布４の前端縁４ａ付近において、裏の擬毛１０が、垂れた基布４の裏面４ｃ及び頭皮３０の間で拘束される可能性が生じる。更に、距離Ｌが長すぎると、裏の擬毛１０が、望まない方向に伸びていく可能性も生じる。
これらを総合的に考慮すると、距離Ｌは、２〜１２ｍｍが好ましく、２〜８ｍｍがより好ましい。
【００３９】
（平面形状）
次に、図２を参照しながら、本発明の１つの実施形態に係るかつらの主に平面形状を説明する。図２は、本発明に係るかつらの１つの平面形状を示すため、かつらを裏面側から見た模式的な平面図である。
【００４０】
＜基布４の平面形状＞
はじめに、基布４の平面形状について説明する。基布４の全体形状は、部分かつらであるか全頭かつらであるか、またその用途に応じて、任意の平面形状を有することができる。
本実施形態では、基布４の前端縁４ａが、一様な凸の曲線形状を有している。ここで、一様な凸の曲線形状とは、凹凸形状が切り替わる変曲点を有さない曲線形状を意味する。
【００４１】
本実施形態では、基布４の前端縁４ａが一様な凸の曲線形状を有するので、基布４の前端縁４ａが波形の場合に比べて、充分な耐久性を有し、ブラッシング時にかつらがめくり上がる問題も抑制できる。一方、基布４の前端縁４ａが一様な凸の曲線形状の場合、波形の場合に比べて、基布４の前端縁４ａが露見し易い傾向となるが、上述の裏の擬毛１０及び表の擬毛８が重なり合い等により、基布４の前縁部４ａの露見を充分に抑制することができる。これにより、充分な強度を有しながら、装着していることが露見しにくいかつら２を実現できる。
【００４２】
ただし、基布４の前端縁４ａが一様な凸の曲線形状を有する場合に限られるものではない。例えば、かつらの強度に問題の生じない範囲において、基布４の前端縁４ａにゆるいまたはわずかな波形の形状を持たせることもできる。また、基布４の前端縁４ａの近傍に、強度を増すための芯材や補強部材を付加して、形状による強度低下を補うこともできる。
【００４３】
＜裏毛用部材６の１つの平面形状＞
次に、裏毛用部材６の１つの平面形状を説明すると、図２に示すように、裏毛用部材６が幅Ｂ（幅寸法の値がＢ）の帯状部材から形成されている。図２に示す裏毛用部材６の幅寸法Ｂの値は概ね同一あるが、波形状の凹凸に応じて、若干値が増減する場合もあり得る。幅Ｂの値として、２〜２０ｍｍを例示できるが、これに限られるものではない。基布４への充分な取り付け強度が得られ、充分な量の裏の擬毛１０を植設できる幅寸法であれば、その他の任意の値を採用することができる。
帯状の裏毛用部材６を配置する範囲は、かつらの前頭部に対応する領域の場合もあり得るし、かつらの全周であってもよい。
【００４４】
本実施形態では、裏毛用部材６が幅Ｂの帯状部材から形成されているので、必要な領域にだけ、裏毛用部材６を容易に低い製造コストで設けることができる。
【００４５】
図２に示す裏毛用部材６の平面形状を更に詳細に説明すると、裏面側からの平面視において、裏毛用部材６の前端面６ａが波状の形状を有している。また、裏毛用部材６の前端面６ａが、基布４の前端縁４ａから距離Ｌだけ離間して配置されている。本実施形態における距離Ｌは周期的に変動し、波状の凸の頂点で最小となり、波状の凹の底で最大となる。基布４の前端縁４ａ（外形）及び裏毛用部材６の前端面６ａの波状の形状の間の裏面４ｃには、擬毛が植設されていない。
【００４６】
裏毛用部材６に植設された裏の擬毛１０が、このような裏毛用部材６の前端面６ａの波状の形状に沿って、様々な角度で基布４の外側へ伸びる。例えば、波形の基布４の前端縁４ａに対して凸の領域では、裏の擬毛１０が放射状に広がり、凹の領域では、裏の擬毛１０が互いに交差するように伸びる。これにより、裏の擬毛１０どうしがより重なり易くなり、表の擬毛８ともより重なり易くなる。これにより、より自然な外観を得ることができ、基布４の前縁部４ａがより露見しにくくなる。
【００４７】
仮に、裏の擬毛１０が互いに平行に植設された場合、かつらの使用時に、一部の裏の擬毛１０が互いに絡まった場合、一部が束のようになり、その周囲に擬毛が存在しない不自然が外観となる可能性がある。本実施形態では、予め裏の擬毛１０が異なる角度で植設されている（ばらける）ので、そのような不自然が外観となるのを未然に防ぐことができる。
【００４８】
裏毛用部材６の前端面６ａの波状の形状に沿って、同一のピッチで裏の擬毛１０を植設した場合、波状の凸の領域では擬毛どうしが放射状に広がり、波状の凹の領域では擬毛どうしが互い交差するので、裏の擬毛１０の密度にばらつきが生じる。よって、毛髪が不規則にばらついて存在することにより、より自然な外観を得ることができる。
【００４９】
＜裏毛用部材６のその他の平面形状＞
図１に示す断面図に対応する平面形状は、図２に示す形状に限られず、図３に示すようなその他の平面形状も考えられる。図３は、本発明に係るかつらのその他の平面形状を示すため、かつらを裏面側から見た模式的な平面図である。次に、図３を参照しながら、裏毛用部材６のその他の平面形状を説明する
【００５０】
基布４の平面形状については、図２に示す場合と同様であり、更なる説明は省略する。また、図２に示す場合と同様に、裏毛用部材６が幅Ｂ（幅寸法の値がＢ）の帯状部材から形成されている。よって、図２に示す場合と同様に、必要な領域にだけ、裏毛用部材６を容易に低い製造コストで設けることができる。
【００５１】
図２に示す場合と異なるのは、裏面側からの平面視において、基布４の前端縁４ａに向かって凸の一様な曲線形状を有している点である。本実施形態では、波状の形状の場合のように、植設された裏の擬毛１０の向きに変化を付けることはできないが、基布４の前端縁４ａ及び裏毛用部材６の前端面６ａの間の領域において、裏の擬毛１０が自由に移動できるので、かつら装着の露見を防止できる自然な外観を得ることができる。
【００５２】
（その他の実施形態）
図２及び図３に示す平面形状では、裏毛用部材６が帯状部材から形成されているが、これに限られるものではない。基布４の前端縁４ａ及び裏毛用部材６の前端面６ａの間の領域を除いて、基布４及び裏毛用部材６が全て重なり合っている場合もあり得るし、基布４及び裏毛用部材６が重なっている領域と基布４だけの領域とが混在する場合もあり得る。
上述の実施形態では、裏毛用部材６の前端面６ａが基布４の前端縁４ａから離間して配置されており、かつらの前頭部に対応する領域において、基布４の前端縁４ａが露見するのを防いでいる。しかし、かつらの前頭部だけでなく、後頭部、側頭部をはじめとするその他の領域、または全周領域において、裏毛用部材の外側の端面が基布の外端縁から離間して配置されるようにすることもできる。
【００５３】
（実施例）  
次に、図１及び図２に示す実施形態に基づき、実際に製造したかつらの実施例について、図５から図７を参照しながら説明する。図５は、かつらの一実施例の外形を裏面側から示す図（写真）であり、図６は、図５に示す実施例において、基布の前端縁近傍を拡大して示す図（写真）であり、図７は、図６に示す基布の前端縁近傍について、裏面側の斜め上方から示す図（写真）である。
【００５４】
図５では、紙面で上側が前頭部側に対応する。前頭部の領域において、帯状の裏毛用部材の波形の前端面が、基布の前端縁から離間した位置に配置され、その他の領域では、裏毛用部材の外側の端面及び基布の外端縁の位置が一致するように取り付けられている。
図６及び図７から、裏毛用部材の厚みにより、基布の前端縁及び裏毛用部材の前端面の間に、裏の擬毛が自由に移動できる空間が形成されるのが明らかである。
【００５５】
以上のように、本発明の実施の形態を説明したが、開示内容は構成の細部において変化してもよく、実施の形態における要素の組合せや順序の変化等は請求された本発明の範囲および思想を逸脱することなく実現し得るものである。
【符号の説明】
【００５６】
２        かつら
４        基布
４ａ      前端縁
４ｂ      表面
４ｃ      裏面
６        裏毛用部材
６ａ      前端面
６ｂ      裏面
８        表の擬毛
８ａ      結び目（結び玉）
１０      裏の擬毛
１０ａ    結び目（結び玉）  
２０      かつらベース
３０      頭皮
Ａ        基布の裏面と使用者の頭皮との間の空間
ｔ        裏毛用部材の厚み
Ｌ        基布の前端縁及び裏毛用部材の前端面の間の距離
Ｂ        裏毛用部材の幅
【図１】
2017166083.tif 000003
【図２】
2017166083.tif 000004
【図３】
2017166083.tif 000005
【図４】
2017166083.tif 000006
【図５】
2017166083.tif 000007
【図６】
2017166083.tif 000008
【図７】
2017166083.tif 000009
【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
基布と、
前記基布の表面に植設された表の擬毛と、
前記基布の裏面に取り付けられた所定の厚みを有する裏毛用部材と、
前記裏毛用部材に植設された裏の擬毛と、
を備え、
前記表の擬毛が、前記基布の外周の少なくとも一部である外端縁の近傍領域に少なくとも植設され、
前記裏毛用部材の外側の端面が、前記基布の外端縁から離間した位置に配置され、
前記裏の擬毛が前記基布の外端縁から外側へ伸びており、
裏面側からの平面視において、前記裏毛用部材の外側の端面が波状の形状を有することを特徴とするかつら。
【請求項２】
前記基布の外端縁が前端縁であり、
前記裏毛用部材の外側の端面が前端面であることを特徴とする請求項１に記載のかつら。
【請求項３】
前記基布の裏面において、前記基布の外端縁及び前記裏毛用部材の外側の端面の間の領域に擬毛が植設されていないことを特徴とする請求項１または２に記載のかつら。
【請求項４】
前記基布の外端縁が、一様な凸の曲線形状を有することを特徴とする請求項１から３の何れか１項に記載のかつら。
【請求項５】
前記裏毛用部材が所定の幅の帯状部材から形成されていることを特徴とする請求項１から４の何れか１項に記載のかつら。